(57)【要約】【課題】情報処理装置との通信が行われるファイル装置の交換を容易にする中継装置、中継プログラム、中継方法を提供する。【解決手段】サーバ２と少なくとも１つのファイル装置３の間に接続される中継装置１であって、予め設定された識別情報である第１の識別情報とファイル装置３固有の識別情報である第２の識別情報とを取得する取得部と、取得部により取得された第１の識別情報を送信先とするフレームをサーバ２から受信した場合、該フレームの送信先を取得部により取得された第２の識別情報に変換し、ファイル装置３へ送信する変換部とを備えた。【選択図】図１
2008015865.tif 000002
【特許請求の範囲】
【請求項１】
情報処理装置と少なくとも１つのファイル装置との間に接続される中継装置であって、
予め設定された識別情報である第１の識別情報と前記ファイル装置固有の識別情報である第２の識別情報とを取得する取得部と、
前記取得部により取得された第１の識別情報を送信先とするフレームを前記情報処理装置から受信した場合、該フレームの送信先を前記取得部により取得された第２の識別情報に変換し、前記ファイル装置へ送信する変換部と
を備える中継装置。
【請求項２】
請求項１に記載の中継装置において、
前記変換部は、前記第２の識別情報を送信元とするフレームを前記ファイル装置から受信した場合、該フレームの送信元を前記第１の識別情報に変換し、前記情報処理装置へ送信することを特徴とする中継装置。
【請求項３】
請求項１または請求項２に記載の中継装置において、
前記取得部は、予め記憶されたテーブルから、前記第１の識別情報及び前記第２の識別情報を取得することを特徴とする中継装置。
【請求項４】
情報処理装置と少なくとも１つのファイル装置との間に接続されたコンピュータに実行させる中継プログラムであって、
予め設定された識別情報である第１の識別情報と前記ファイル装置固有の識別情報である第２の識別情報とを取得する取得ステップと、
前記取得ステップにより取得された第１の識別情報を送信先とするフレームを前記情報処理装置から受信した場合、該フレームの送信先を前記取得ステップにより取得された第２の識別情報に変換し、前記ファイル装置へ送信する変換ステップと
をコンピュータに実行させる中継プログラム。
【請求項５】
情報処理装置と少なくとも１つのファイル装置との間の中継を行う中継方法であって、
予め設定された識別情報である第１の識別情報と前記ファイル装置固有の識別情報である第２の識別情報とを取得する取得ステップと、
前記取得ステップにより取得された第１の識別情報を送信先とするフレームを前記情報処理装置から受信した場合、該フレームの送信先を前記取得ステップにより取得された第２の識別情報に変換し、前記ファイル装置へ送信する変換ステップと
を実行する中継方法。
【発明の詳細な説明】
【技術分野】
【０００１】
本発明は、情報処理装置とファイル装置の間の通信の中継を行う中継装置、中継プログラム、中継方法に関するものである。
【背景技術】
【０００２】
サーバがサポートすべきファイル装置の種類が非常に多くなっている。また、新規のサーバの開発が行われた場合、サーバとファイル装置の接続性システム試験が行われる。この接続性システム試験において、サーバがサポートする全ての種類のファイル装置に対する接続の確認を行う必要がある。
【０００３】
なお、本発明の関連ある従来技術として、ネットワークに接続された各装置とそれらの電源制御を行うＰＣ（Personal Computer）の間に接続され、ＰＣから各装置へ送信された電源制御パケットに対して、予め登録された装置名とＭＡＣアドレスの変換を行うリモートパワーコントローラがある（例えば、特許文献１参照）。
【特許文献１】特開２０００−２１４９６１号公報
【発明の開示】
【発明が解決しようとする課題】
【０００４】
しかしながら、上述した接続性システム試験はファイル装置の種類毎に行うため、サーバに接続されるファイル装置の交換を行う必要がある。ＦＣ（Fibre Channel）インタフェースを介してサーバとファイル装置が接続される場合、サーバの設定には、ＷＷＮ（World Wide Name）やＭＡＣ（Media Access Control）アドレスなどファイル装置に固有の識別情報が含まれる。このため、ファイル装置の交換の度にサーバの設定を変更しなければならない。特に、サーバのミドルウェア（ＭＷ）が関わる場合、ＭＷにおける複雑な定義が必要になり、評価において多大な負担となっている。
【０００５】
ここで、従来の接続性システム試験の動作の一例について説明する。接続性システム試験において、複数のディスクを備えるファイル装置がサーバに接続されるとする。また、サーバにおいて、複数のディスクをミラー構成として用いるクラスタソフトウェアと、データベースを制御するＭＷであるデータベースソフトウェアとが実行される。
【０００６】
図５は、従来の接続性システム試験の動作の一例を示すフローチャートである。まず、ユーザにより接続性システム試験の対象となるファイル装置がサーバへ接続される（Ｓ１１）。次に、サーバは、サーバ設定処理を行い（Ｓ１２）、サーバは、対象のファイル装置に対する接続性システム試験を行い（Ｓ４２）、サーバ設定解体処理を行う（Ｓ５１）。次に、ユーザにより対象のファイル装置がサーバから切断されると（Ｓ５２）、サーバは全てのファイル装置に対する接続性システム試験が終了したか否かの判断を行う（Ｓ５３）。全ての試験が終了していない場合（Ｓ５３，Ｎ）、処理Ｓ１１に戻る。一方、全ての試験が終了した場合（Ｓ５３，Ｙ）、このフローは終了する。
【０００７】
次に、処理Ｓ１２のサーバ設定処理について説明する。図６は、サーバ設定処理の動作の一例を示すフローチャートである。まず、サーバは、ユーザからの指示に従ってパス情報の構築を行う（Ｓ６１）。次に、サーバは、ユーザからの指示に従ってファイル装置のディスク情報の取得を行う（Ｓ６２）。次に、サーバは、ユーザからの指示に従ってディスク情報の構築を行う（Ｓ６３）。次に、サーバは、ユーザからの指示に従ってディスクのドライバの設定を行う（Ｓ６４）。次に、サーバは、ユーザからの指示に従ってデータベースソフトウェアの定義を行う（Ｓ６５）。次に、サーバは、ユーザからの指示に従ってディスクのミラー構成の構築を行う（Ｓ６６）。次に、サーバは、ユーザからの指示に従ってクラスタソフトウェアのサービス定義を行い（Ｓ６７）、このフローは終了する。
【０００８】
次に、処理Ｓ５１のサーバ設定解体処理について説明する。図７は、サーバ設定解体処理の動作の一例を示すフローチャートである。まず、サーバは、ユーザからの指示に従ってクラスタソフトウェアのサービス定義を解体する（Ｓ７１）。次に、第１のファイル装置がサーバにつながっている状態で、サーバは、ユーザからの指示に従ってディスクのミラー構成を全て解体する（Ｓ７２）。次に、サーバは、ユーザからの指示に従ってデータベースソフトウェアの定義を解体する（Ｓ７３）。次に、サーバは、ユーザからの指示に従ってディスク情報を解体する（Ｓ７４）。次に、サーバは、ユーザからの指示に従ってパス情報を解体し（Ｓ７５）、このフローは終了する。
【０００９】
本発明は上述した問題点を解決するためになされたものであり、情報処理装置との通信が行われるファイル装置の交換を容易にする中継装置、中継プログラム、中継方法を提供することを目的とする。
【課題を解決するための手段】
【００１０】
上述した課題を解決するため、本発明は、情報処理装置と少なくとも１つのファイル装置との間に接続される中継装置であって、予め設定された識別情報である第１の識別情報と前記ファイル装置固有の識別情報である第２の識別情報とを取得する取得部と、前記取得部により取得された第１の識別情報を送信先とするフレームを前記情報処理装置から受信した場合、該フレームの送信先を前記取得部により取得された第２の識別情報に変換し、前記ファイル装置へ送信する変換部とを備えたものである。
【００１１】
また、本発明に係る中継装置において、前記変換部は、前記第２の識別情報を送信元とするフレームを前記ファイル装置から受信した場合、該フレームの送信元を前記第１の識別情報に変換し、前記情報処理装置へ送信することを特徴とする。
【００１２】
また、本発明に係る中継装置において、前記取得部は、予め記憶されたテーブルから、前記第１の識別情報及び前記第２の識別情報を取得することを特徴とする。
【００１３】
また、本発明に係る中継装置において、前記取得部は、スキャン処理を行うことにより、前記ファイル装置から前記第２の識別情報を受信し、受信した前記第２の識別情報を前記テーブルに設定することを特徴とする。
【００１４】
また、本発明に係る中継装置において、前記ファイル装置は複数であり、前記取得部は、複数のファイル装置の中の１つのファイル装置を選択し、選択したファイル装置固有の第２の識別情報を取得することを特徴とする。
【００１５】
また、本発明に係る中継装置において、前記識別情報は、ＷＷＮ及びＭＡＣアドレスの少なくともいずれかであることを特徴とする。
【００１６】
また、本発明は、情報処理装置と少なくとも１つのファイル装置との間に接続されたコンピュータに実行させる中継プログラムであって、予め設定された識別情報である第１の識別情報と前記ファイル装置固有の識別情報である第２の識別情報とを取得する取得ステップと、前記取得ステップにより取得された第１の識別情報を送信先とするフレームを前記情報処理装置から受信した場合、該フレームの送信先を前記取得ステップにより取得された第２の識別情報に変換し、前記ファイル装置へ送信する変換ステップとをコンピュータに実行させるものである。
【００１７】
また、本発明に係る中継プログラムにおいて、前記変換ステップは、前記第２の識別情報を送信元とするフレームを前記ファイル装置から受信した場合、該フレームの送信元を前記第１の識別情報に変換し、前記情報処理装置へ送信することを特徴とする。
【００１８】
また、本発明に係る中継プログラムにおいて、前記取得ステップは、予め記憶されたテーブルから、前記第１の識別情報及び前記第２の識別情報を取得することを特徴とする。
【００１９】
また、本発明に係る中継プログラムにおいて、前記取得ステップは、スキャン処理を行うことにより、前記ファイル装置から前記第２の識別情報を受信し、受信した前記第２の識別情報を前記テーブルに設定することを特徴とする。
【００２０】
また、本発明に係る中継プログラムにおいて、前記ファイル装置は複数であり、前記取得ステップは、複数のファイル装置の中の１つのファイル装置を選択し、選択したファイル装置固有の第２の識別情報を取得することを特徴とする。
【００２１】
また、本発明に係る中継プログラムにおいて、前記識別情報は、ＷＷＮ及びＭＡＣアドレスの少なくともいずれかであることを特徴とする。
【００２２】
また、本発明は、情報処理装置と少なくとも１つのファイル装置との間の中継を行う中継方法であって、予め設定された識別情報である第１の識別情報と前記ファイル装置固有の識別情報である第２の識別情報とを取得する取得ステップと、前記取得ステップにより取得された第１の識別情報を送信先とするフレームを前記情報処理装置から受信した場合、該フレームの送信先を前記取得ステップにより取得された第２の識別情報に変換し、前記ファイル装置へ送信する変換ステップとを実行するものである。
【発明の効果】
【００２３】
本発明によれば、情報処理装置との通信が行われるファイル装置の交換を容易にすることができる。
【発明を実施するための最良の形態】
【００２４】
以下、本発明の実施の形態について図面を参照しつつ説明する。
【００２５】
実施の形態１．
本実施の形態においては、ユーザにより交換されるファイル装置に対して接続性システム試験を行う中継装置について説明する。
【００２６】
まず、本実施の形態に係る中継装置の構成について説明する。
【００２７】
図１は、本実施の形態に係る中継装置の構成の一例を示すブロック図である。サーバ２（情報処理装置）は、中継装置１に接続される。また、用意された複数のファイル装置３の中から１つのファイル装置３が接続性システム試験の対象としてユーザにより選択され、中継装置１に接続される。本実施の形態において、サーバ２とファイル装置３は、ＦＣを介して通信を行うものであり、中継装置１は、ＦＣのフレームの中継を行う。
【００２８】
サーバ２は、ファイル装置３をサポートする。ファイル装置３は、例えば、ハードディスク装置やＲＡＩＤ（Redundant Arrays of Inexpensive Disks）装置であり、従来と同様、装置に固有の識別情報（ＷＷＮやＭＡＣアドレスなど）（第２の識別情報）を持つ。
【００２９】
中継装置１は、制御部１１、記憶部１２、ＦＣカード１３ａ，１３ｂを備える。ＦＣカード１３ａは、ＦＣケーブルを介してサーバ２に接続される。同様に、ＦＣカード１３ｂは、ＦＣケーブルを介して対象のファイル装置３に接続される。制御部１１は、各部の制御を行う。記憶部１２は、制御部１１のプログラムや変換テーブルを格納する。変換テーブルは、識別情報の対応付けを示すものであり、中継するフレームの識別情報を変換するために用いられる。また、サーバ２がファイル装置３の識別情報の代わりに用いる識別情報として、中継装置１の識別情報（第１の識別情報）が設定される。
【００３０】
次に、本実施の形態にかかる中継装置１を用いた接続性システム試験の動作について説明する。
【００３１】
本実施の形態における接続性システム試験においては、図５の例と同様、ファイル装置３は、複数のディスクを備える。また、サーバにおいて、複数のディスクをミラー構成として用いるクラスタソフトウェアと、データベースを制御するＭＷであるデータベースソフトウェアとが実行される。
【００３２】
図２は、本実施の形態に係る接続性システム試験の動作の一例を示すフローチャートである。この図において、図５と同一符号は図５に示された対象と同一又は相当物を示しており、ここでの説明を省略する。まず、従来の接続性システム試験と同様、ユーザにより接続性システム試験の対象となるファイル装置３が中継装置１へ接続される（Ｓ１１）。次に、中継装置１における制御部１１は、対象のファイル装置３の識別情報を取得し（Ｓ２１）、予め設定された中継装置１の識別情報と対象のファイル装置３の識別情報との対応付けを変換テーブルとして記憶部１２に設定し（Ｓ３５）、中継処理を開始する（Ｓ３６）。処理Ｓ２１において、制御部１１は、ＦＣカード１３ｂを用いて接続されている機器に問い合わせを行うスキャン処理を行い、接続されているファイル装置３の識別情報を取得する。なお、制御部１１は、ユーザからの変換テーブルへの入力により、ファイル装置３の識別情報を取得しても良い。
【００３３】
次に、サーバ２は、これから行う接続性システム試験が最初のファイル装置３に対する接続性システム試験であるか否かの判断を行う（Ｓ３７）。最初の試験である場合（Ｓ３７，Ｙ）、サーバ２は、一度だけ従来と同様のサーバ設定処理を行う（Ｓ３８）。本実施の形態におけるサーバ設定処理においては、ファイル装置３の識別情報の代わりに中継装置１の識別情報を用いる。最初の試験でない場合（Ｓ３７，Ｎ）、サーバ設定処理のうち、ディスクのミラー構成の構築のみを行う（Ｓ３９）。
【００３４】
また、ファイル装置３において、デフォルト設定を用いる場合とアフィニティ設定を用いる場合がある。デフォルト設定は、ファイル装置にサーバの識別情報を設定することなく、ファイル装置を設定できるものである。アフィニティ設定は、ファイル装置にサーバの識別情報を設定し、ファイル装置が設定されたサーバからのアクセスだけを許可することによりセキュリティを確保するものである。デフォルト設定の場合、処理Ｓ３７において上述したサーバ設定処理を行うだけで良い。アフィニティ設定の場合、処理Ｓ３７において上述したサーバ設定処理の他に、サーバ２の識別情報を設定するファイル装置設定処理を行う。ファイル装置設定処理において、制御部１１は、記憶部１２の変換テーブルにおけるサーバ２の識別情報をファイル装置３へコピーする。なお、サーバ２の識別情報は、ユーザにより記憶部１２からファイル装置３にコピーされても良い。
【００３５】
次に、サーバ２は、接続性システム試験を行う（Ｓ４２）。次に、サーバ２は、全てのファイル装置に対する接続性システム試験が終了したか否かの判断を行う（Ｓ４３）。全ての試験が終了していない場合（Ｓ４３，Ｎ）、ユーザにより試験が終了したファイル装置３が切断され（Ｓ４４）、処理Ｓ１１に戻り、次の対象のファイル装置３が中継装置１へ接続される。一方、全ての試験が終了した場合（Ｓ４３，Ｙ）、サーバ２は、一度だけ従来と同様のサーバ設定解体処理を行い（Ｓ５１）、ユーザにより試験が終了したファイル装置３が切断され（Ｓ５２）、このフローは終了する。
【００３６】
なお、本実施の形態における接続性システム試験、サーバ設定処理、サーバ設定解体処理の動作は、一例であり、サーバ２のＯＳ（Operating System）やＭＷによって異なる。
【００３７】
次に、処理Ｓ３５の中継処理について説明する。
【００３８】
記憶部１２に格納された変換テーブルは、中継装置１の識別情報と処理Ｓ２１により取得された対象のファイル装置３固有の識別情報とが対応付けられたものである。
【００３９】
サーバ２からファイル装置３へフレームが送信される場合、サーバ２は、サーバ設定に従って、送信元をサーバ２の識別情報とし、送信先を中継装置１の識別情報としたフレームを送信する。中継装置１における制御部１１は、ＦＣカード１３ａにより受信されたフレームの送信元と送信先の変換を行い、ＦＣカード１３ｂにより送信する。ここで、制御部１１は、変換テーブルに従って、送信先を中継装置１の識別情報からファイル装置３の識別情報へ変換する。
【００４０】
ファイル装置３からサーバ２へフレームが送信される場合、ファイル装置３は、送信元をファイル装置３の識別情報とし、送信先をサーバ２の識別情報としたフレームを送信する。中継装置１における制御部１１は、ＦＣカード１３ｂにより受信されたフレームの送信元と送信先の変換を行い、ＦＣカード１３ａにより送信する。ここで、制御部１１は、変換テーブルに従って、送信元をファイル装置３の識別情報から中継装置１の識別情報へ変換する。
【００４１】
なお、本実施の形態においては、中継装置１において１つの識別情報が予め設定されるとしたが、中継装置１においてＦＣカード１３ａに対応する識別情報とＦＣカード１３ｂに対応する識別情報とが予め設定されても良い。この場合、記憶部１２の変換テーブルは、ＦＣカード１３ａの識別情報と処理Ｓ２１により取得された対象のファイル装置３固有の識別情報とが対応付けられ、サーバ２の識別情報とＦＣカード１３ｂの識別情報とが対応付けられたものとなる。
【００４２】
サーバ２からファイル装置３へフレームが送信される場合、サーバ２は、サーバ設定に従って、送信元をサーバ２の識別情報とし、送信先をＦＣカード１３ａの識別情報としたフレームを送信する。中継装置１における制御部１１は、ＦＣカード１３ａにより受信されたフレームの送信元と送信先の変換を行い、ＦＣカード１３ｂにより送信する。ここで、制御部１１は、変換テーブルに従って、送信元をサーバ２の識別情報からＦＣカード１３ｂの識別情報へ変換し、送信先をＦＣカード１３ａの識別情報からファイル装置３の識別情報へ変換する。
【００４３】
ファイル装置３からサーバ２へフレームが送信される場合、ファイル装置３は、送信元をファイル装置３の識別情報とし、送信先をサーバ２の識別情報としたフレームを送信する。中継装置１における制御部１１は、ＦＣカード１３ｂにより受信されたフレームの送信元と送信先の変換を行い、ＦＣカード１３ａにより送信する。ここで、制御部１１は、変換テーブルに従って、送信元をファイル装置３の識別情報からＦＣカード１３ａの識別情報へ変換し、送信先をＦＣカード１３ｂの識別情報からサーバ２の識別情報へ変換する。
【００４４】
また、アフィニティ設定の場合、処理Ｓ３７におけるファイル設定処理として、制御部１１は、記憶部１２の変換テーブルにおけるＦＣカード１３ｂの識別情報をファイル装置３へコピーする。
【００４５】
本実施の形態によれば、接続性システム試験において、ファイル装置３の交換の度に必要であった、複雑なサーバ設定解体処理とサーバ設定処理を不要とすることができるため、接続性システム試験のコストを大幅に削減することができる。
【００４６】
実施の形態２．
本実施の形態においては、接続された複数のファイル装置の中から１つのファイル装置を選択して接続性システム試験を行う中継装置について説明する。
【００４７】
まず、本実施の形態に係る中継装置の構成について説明する。
【００４８】
図３は、本実施の形態に係る中継装置の構成の一例を示すブロック図である。この図において、図１と同一符号は図１に示された対象と同一又は相当物を示しており、ここでの説明を省略する。この図は、図１における中継装置１の代わりに中継装置４を備える。中継装置１と比較すると、中継装置４は、複数のＦＣカード１３ｂを備え、それぞれ異なるファイル装置３に接続されている点が異なる。
【００４９】
次に、本実施の形態にかかる中継装置４を用いた接続性システム試験の動作について説明する。
【００５０】
図４は、本実施の形態に係る接続性システム試験の動作の一例を示すフローチャートである。この図において、図２と同一符号は図２に示された対象と同一又は相当物を示しており、ここでの説明を省略する。
【００５１】
このフローにおいては、実施の形態１における処理Ｓ１１，Ｓ２１の代わりに処理Ｓ３１，Ｓ３３，Ｓ３４が実行される。まず、ユーザにより接続性システム試験を行う全てのファイル装置３が、互いにＦＣカード１３ｂに接続される（Ｓ３１）。次に、制御部１１は、接続されている全てのファイル装置３の識別情報を取得する（Ｓ３３）。ここで、制御部１１は、実施の形態１における処理Ｓ２１と同様、スキャン処理により全てのファイル装置３の識別情報を取得する。なお、制御部１１は、ユーザからの変換テーブルへの入力により、全てのファイル装置３の識別情報を取得しても良い。
【００５２】
次に、制御部１１は、識別情報を取得したファイル装置３のうち、１つのファイル装置３を対象のファイル装置３として選択する（Ｓ３４）。その後、対象のファイル装置３の識別情報を用いて、実施の形態１と同様の処理Ｓ３５，Ｓ３６，Ｓ３７，Ｓ３８，Ｓ３９，Ｓ４２が実行され、制御部１１は、全てのファイル装置に対する接続性システム試験が終了したか否かの判断を行う（Ｓ４５）。全ての試験が終了していない場合（Ｓ４５，Ｎ）、処理Ｓ３４に戻り、制御部１１は、次の対象のファイル装置３を選択する。一方、全ての試験が終了した場合（Ｓ４５，Ｙ）、サーバ２は、一度だけ従来と同様のサーバ設定解体処理を行い（Ｓ５１）、ユーザにより接続された全てのファイル装置３が切断され（Ｓ５５）、このフローは終了する。
【００５３】
本実施の形態によれば、接続性システム試験において、ファイル装置３の交換の作業を不要とすることができ、更に、ファイル装置３の交換の度に必要であった、複雑なサーバ設定解体処理とサーバ設定処理を不要とすることができるため、接続性システム試験のコストを大幅に削減することができる。
【００５４】
なお、取得ステップは、実施の形態における処理Ｓ２１，Ｓ３３，Ｓ３４，Ｓ３５に対応する。また、変換ステップは、実施の形態における処理Ｓ３６に対応する。
【００５５】
また、本実施の形態に係る中継装置は、情報処理装置に容易に適用することができ、情報処理装置の性能をより高めることができる。ここで、情報処理装置には、例えばＰＣ、サーバ等が含まれ得る。
【００５６】
更に、中継装置を構成するコンピュータにおいて上述した各ステップを実行させるプログラムを、中継プログラムとして提供することができる。上述したプログラムは、コンピュータにより読取り可能な記録媒体に記憶させることによって、中継装置を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００５７】
（付記１）  情報処理装置と少なくとも１つのファイル装置との間に接続される中継装置であって、
予め設定された識別情報である第１の識別情報と前記ファイル装置固有の識別情報である第２の識別情報とを取得する取得部と、
前記取得部により取得された第１の識別情報を送信先とするフレームを前記情報処理装置から受信した場合、該フレームの送信先を前記取得部により取得された第２の識別情報に変換し、前記ファイル装置へ送信する変換部と
を備える中継装置。
（付記２）  付記１に記載の中継装置において、
前記変換部は、前記第２の識別情報を送信元とするフレームを前記ファイル装置から受信した場合、該フレームの送信元を前記第１の識別情報に変換し、前記情報処理装置へ送信することを特徴とする中継装置。
（付記３）  付記１または付記２に記載の中継装置において、
前記取得部は、予め記憶されたテーブルから、前記第１の識別情報及び前記第２の識別情報を取得することを特徴とする中継装置。
（付記４）  付記３に記載の中継装置において、
前記取得部は、スキャン処理を行うことにより、前記ファイル装置から前記第２の識別情報を受信し、受信した前記第２の識別情報を前記テーブルに設定することを特徴とする中継装置。
（付記５）  付記１乃至付記４のいずれかに記載の中継装置において、
前記ファイル装置は複数であり、
前記取得部は、複数のファイル装置の中の１つのファイル装置を選択し、選択したファイル装置固有の第２の識別情報を取得することを特徴とする中継装置。
（付記６）  付記１乃至付記５のいずれかに記載の中継装置において、
前記識別情報は、ＷＷＮ及びＭＡＣアドレスの少なくともいずれかであることを特徴とする中継装置。
（付記７）  情報処理装置と少なくとも１つのファイル装置との間に接続されたコンピュータに実行させる中継プログラムであって、
予め設定された識別情報である第１の識別情報と前記ファイル装置固有の識別情報である第２の識別情報とを取得する取得ステップと、
前記取得ステップにより取得された第１の識別情報を送信先とするフレームを前記情報処理装置から受信した場合、該フレームの送信先を前記取得ステップにより取得された第２の識別情報に変換し、前記ファイル装置へ送信する変換ステップと
をコンピュータに実行させる中継プログラム。
（付記８）  付記７に記載の中継プログラムにおいて、
前記変換ステップは、前記第２の識別情報を送信元とするフレームを前記ファイル装置から受信した場合、該フレームの送信元を前記第１の識別情報に変換し、前記情報処理装置へ送信することを特徴とする中継プログラム。
（付記９）  付記７または付記８に記載の中継プログラムにおいて、
前記取得ステップは、予め記憶されたテーブルから、前記第１の識別情報及び前記第２の識別情報を取得することを特徴とする中継プログラム。
（付記１０）  付記９に記載の中継プログラムにおいて、
前記取得ステップは、スキャン処理を行うことにより、前記ファイル装置から前記第２の識別情報を受信し、受信した前記第２の識別情報を前記テーブルに設定することを特徴とする中継プログラム。
（付記１１）  付記７乃至付記１０のいずれかに記載の中継プログラムにおいて、
前記ファイル装置は複数であり、
前記取得ステップは、複数のファイル装置の中の１つのファイル装置を選択し、選択したファイル装置固有の第２の識別情報を取得することを特徴とする中継プログラム。
（付記１２）  付記７乃至付記１１のいずれかに記載の中継プログラムにおいて、
前記識別情報は、ＷＷＮ及びＭＡＣアドレスの少なくともいずれかであることを特徴とする中継プログラム。
（付記１３）  情報処理装置と少なくとも１つのファイル装置との間の中継を行う中継方法であって、
予め設定された識別情報である第１の識別情報と前記ファイル装置固有の識別情報である第２の識別情報とを取得する取得ステップと、
前記取得ステップにより取得された第１の識別情報を送信先とするフレームを前記情報処理装置から受信した場合、該フレームの送信先を前記取得ステップにより取得された第２の識別情報に変換し、前記ファイル装置へ送信する変換ステップと
を実行する中継方法。
（付記１４）  付記１３に記載の中継方法において、
前記変換ステップは、前記第２の識別情報を送信元とするフレームを前記ファイル装置から受信した場合、該フレームの送信元を前記第１の識別情報に変換し、前記情報処理装置へ送信することを特徴とする中継方法。
（付記１５）  付記１３または付記１４に記載の中継方法において、
前記取得ステップは、予め記憶されたテーブルから、前記第１の識別情報及び前記第２の識別情報を取得することを特徴とする中継方法。
（付記１６）  付記１５に記載の中継方法において、
前記取得ステップは、スキャン処理を行うことにより、前記ファイル装置から前記第２の識別情報を受信し、受信した前記第２の識別情報を前記テーブルに設定することを特徴とする中継方法。
（付記１７）  付記１３乃至付記１６のいずれかに記載の中継方法において、
前記ファイル装置は複数であり、
前記取得ステップは、複数のファイル装置の中の１つのファイル装置を選択し、選択したファイル装置固有の第２の識別情報を取得することを特徴とする中継方法。
（付記１８）  付記１３乃至付記１７のいずれかに記載の中継方法において、
前記識別情報は、ＷＷＮ及びＭＡＣアドレスの少なくともいずれかであることを特徴とする中継方法。
【図面の簡単な説明】
【００５８】
【図１】実施の形態１に係る中継装置の構成の一例を示すブロック図である。
【図２】実施の形態１に係る接続性システム試験の動作の一例を示すフローチャートである。
【図３】実施の形態２に係る中継装置の構成の一例を示すブロック図である。
【図４】実施の形態２に係る接続性システム試験の動作の一例を示すフローチャートである。
【図５】従来の接続性システム試験の動作の一例を示すフローチャートである。
【図６】サーバ設定処理の動作の一例を示すフローチャートである。
【図７】サーバ設定解体処理の動作の一例を示すフローチャートである。
【符号の説明】
【００５９】
１，４  中継装置、２  サーバ、３  ファイル装置、１１  制御部、１２  記憶部、１３ａ，１３ｂ  ＦＣカード。
【図１】
2008015865.tif 000003
【図２】
2008015865.tif 000004
【図３】
2008015865.tif 000005
【図４】
2008015865.tif 000006
【図５】
2008015865.tif 000007
【図６】
2008015865.tif 000008
【図７】
2008015865.tif 000009